(57)【要約】【課題】太陽電池式照明灯において、たとえ電源ボックスに強い衝撃が加わってもバッテリーの衝突による蓋板の変形が起こりにくくする。【解決手段】太陽電池式照明灯は、太陽電池パネルによって発電された電気を蓄えるためのバッテリー５を収容する電源ボックス３を備える。この電源ボックス３は、内部に水平方向に延在するように配置される１以上の棚板１０と、支柱から遠い側の側面を開口させるボックス本体１１と、開口した側面を塞ぐように配置される蓋板１２とを含む。蓋板１２は、平板部１３と、平板部１３のうち電源ボックス３の内側を向く面において、上下方向に延在するようにして電源ボックス３の内側に向かって突出する１本以上のリブ１４と、平板部１３の左右両側においてそれぞれボックス本体１１と接合する接合部１５とを備える。バッテリー５はリブ１４の先端に当接している。【選択図】図４
2011134476.tif 000002
【特許請求の範囲】
【請求項１】
外部から入射する光によって発電するための太陽電池パネルと、
電気によって発光する光源を有する灯具と、
前記太陽電池パネルによって発電された電気を蓄えるためのバッテリーと、
前記バッテリーを収容する電源ボックスと、
前記太陽電池パネル、前記灯具および前記電源ボックスを支持する支柱とを備える、太陽電池式照明灯であって、
前記電源ボックスは、内部に水平方向に延在するように配置される１以上の棚板と、前記支柱に近い側の側面および前記側面に隣接する左右両側面を覆い、前記支柱から遠い側の側面を開口させるボックス本体と、前記ボックス本体の前記支柱から遠い側の側面を塞ぐように配置される蓋板とを含み、
前記蓋板は、平板部と、前記平板部のうち前記電源ボックスの内側を向く面において、上下方向に延在するようにして前記電源ボックスの内側に向かって突出する１本以上のリブと、前記平板部の左右両側においてそれぞれ前記ボックス本体と接合する接合部とを備え、
前記バッテリーは前記リブの先端に当接している、太陽電池式照明灯。
【請求項２】
前記棚板は、前記支柱に近い側の端に上に向かって折り曲げられたストッパ部を有し、前記バッテリーは前記支柱に近い側の端をストッパ部に当接している、請求項１に記載の太陽電池式照明灯。
【請求項３】
前記蓋板は、押出加工によって一体成形されたものである、請求項１または２に記載の太陽電池式照明灯。
【請求項４】
前記ボックス本体は、押出加工によって一体成形されたものであり、前記電源ボックスは、前記ボックス本体の上面を覆う上蓋と下面を覆う底板とを含む、請求項１から３のいずれかに記載の太陽電池式照明灯。
【請求項５】
前記棚板の前記支柱から遠い側の端は、前記蓋板の前記平板部に当接している、請求項１から４のいずれかに記載の太陽電池式照明灯。
【請求項６】
前記棚板の前記支柱から遠い側の端は、前記蓋板の前記リブを受け入れる切欠きを有している、請求項５に記載の太陽電池式照明灯。
【発明の詳細な説明】
【技術分野】
【０００１】
本発明は、太陽電池式照明灯に関するものである。
【背景技術】
【０００２】
従来技術に基づく太陽電池式照明灯の例が、特開２００３−５１２０８号公報（特許文献１）および特開２００４−２９６１２３号公報（特許文献２）に記載されている。太陽光または風力によって発電する方式の照明灯が特開２００３−３３６２７１号公報（特許文献３）に記載されている。いずれも屋外において支柱によって立てる方式のものであり、発電した電気を蓄えるためにバッテリーを備えている。いずれの文献に記載の照明灯においても、バッテリーはかさばるので、細い支柱の内部には収まらず支柱とは別の物として配置されている。
【０００３】
図１１〜図１３を参照して、従来技術に基づく太陽電池式照明灯の一例について説明する。図１１にこの太陽電池式照明灯１００の外観を示す。電源ボックス３の一部を分解した状態を図１２に示す。この太陽電池式照明灯１００は、太陽電池パネル１と、灯具２と、バッテリーを収容する電源ボックス３と、支柱４とを備える。電源ボックス３は上下方向に長い略四角柱形状となっている。太陽電池パネル１によって発電された電気は電源ボックス３内のバッテリー５に蓄えられる。灯具２は、バッテリー５に蓄えられた電気によって発光することができる。灯具２はバッテリー５に蓄えられた電気によって発光する以外に、別途図示しない配線によって供給される商用電源によって発光することもできる。
【０００４】
図１２では、上蓋８と蓋板９とが外されている。上蓋８はネジを外すことによって電源ボックス３から取り外すことができる。蓋板９は、上蓋８を外した状態で真上にスライドさせることによって図１２に示すように引き抜くことができる。この例では、電源ボックス３内には、３つのバッテリー５が配置されている。電源ボックス３内にはバッテリー５の他に感震センサ６とコントローラ７とが配置されている。
【０００５】
図１２における電源ボックス３の近傍を拡大したところを図１３に示す。図１３では、電源ボックス３から上蓋８と蓋板９とを取り去った状態を表示している。上下方向に長い電源ボックス３の内部空間を仕切るように棚板１０が配置されている。棚板１０に仕切られることによって、電源ボックス３内では、複数の小さな空間が上下方向に並んでいる。３つあるバッテリー５のうち最も下にある１つは底板に直接載っており、他の２つのバッテリーはそれぞれ棚板１０に載るように配置されている。
【先行技術文献】
【特許文献】
【０００６】
【特許文献１】特開２００３−５１２０８号公報
【特許文献２】特開２００４−２９６１２３号公報
【特許文献３】特開２００３−３３６２７１号公報
【発明の概要】
【発明が解決しようとする課題】
【０００７】
バッテリー５は重量物であるので、電源ボックス３内では１枚の棚板１０につき１つのバッテリー５が載せられている。電源ボックス３に強い衝撃が加わった場合、電源ボックス３の内部に配置されたバッテリー５が移動し、蓋板９に衝突する場合がある。バッテリー５は重量物であるので、蓋板９に衝突した場合、蓋板９が変形するおそれがある。蓋板９が変形した場合、太陽電池式照明灯１００全体としての美観を損ねる。また、蓋板９の変形は、電源ボックス３の密閉性を損ない、電源ボックス３内への水の浸入を招くおそれがある。
【０００８】
そこで、本発明は、たとえ電源ボックスに強い衝撃が加わってもバッテリーの衝突による蓋板の変形が起こりにくい太陽電池式照明灯を提供することを目的とする。
【課題を解決するための手段】
【０００９】
上記目的を達成するため、本発明に基づく太陽電池式照明灯は、外部から入射する光によって発電するための太陽電池パネルと、電気によって発光する光源を有する灯具と、上記太陽電池パネルによって発電された電気を蓄えるためのバッテリーと、上記バッテリーを収容する電源ボックスと、上記太陽電池パネル、上記灯具および上記電源ボックスを支持する支柱とを備える、太陽電池式照明灯であって、上記電源ボックスは、内部に水平方向に延在するように配置される１以上の棚板と、上記支柱に近い側の側面および上記側面に隣接する左右両側面を覆い、上記支柱から遠い側の側面を開口させるボックス本体と、上記ボックス本体の上記支柱から遠い側の側面を塞ぐように配置される蓋板とを含み、上記蓋板は、平板部と、上記平板部のうち上記電源ボックスの内側を向く面において、上下方向に延在するようにして上記電源ボックスの内側に向かって突出する１本以上のリブと、上記平板部の左右両側においてそれぞれ上記ボックス本体と接合する接合部とを備え、上記バッテリーは上記リブの先端に当接している。
【発明の効果】
【００１０】
本発明によれば、バッテリーが蓋板の側に向かって移動する余地がないので、たとえ電源ボックスに強い衝撃が加わったとしてもバッテリーが蓋板に対して衝突することは避けられる。よって、バッテリーが蓋板に衝突することによる蓋板の変形を防止することができる。
【図面の簡単な説明】
【００１１】
【図１】本発明に基づく実施の形態１における太陽電池式照明灯の正面図である。
【図２】本発明に基づく実施の形態１における太陽電池式照明灯の側面図である。
【図３】本発明に基づく実施の形態１における太陽電池式照明灯の電源ボックス近傍の拡大斜視図である。
【図４】本発明に基づく実施の形態１における太陽電池式照明灯の電源ボックスの分解図である。
【図５】本発明に基づく実施の形態１における太陽電池式照明灯の蓋板を単独で取り出した状態の第１の斜視図である。
【図６】本発明に基づく実施の形態１における太陽電池式照明灯の蓋板を単独で取り出した状態の第２の斜視図である。
【図７】本発明に基づく実施の形態１における太陽電池式照明灯の電源ボックスの断面図である。
【図８】本発明に基づく実施の形態１における太陽電池式照明灯のボックス本体を単独で取り出した状態の斜視図である。
【図９】本発明に基づく実施の形態２における太陽電池式照明灯の電源ボックスの断面図である。
【図１０】本発明に基づく実施の形態３における太陽電池式照明灯の電源ボックスの断面図である。
【図１１】従来技術に基づく太陽電池式照明灯の斜視図である。
【図１２】従来技術に基づく太陽電池式照明灯の一部を分解した状態での斜視図である。
【図１３】従来技術に基づく太陽電池式照明灯の電源ボックスの、上蓋および蓋板を取り去った状態での斜視図である。
【発明を実施するための形態】
【００１２】
（実施の形態１）
（構成）
図１〜図８を参照して、本発明に基づく実施の形態１における太陽電池式照明灯について説明する。
【００１３】
本実施の形態における太陽電池式照明灯を正面から見たところを図１に示し、側方から見たところを図２に示す。本実施の形態における太陽電池式照明灯１０１は、外部から入射する光によって発電するための太陽電池パネル１と、電気によって発光する光源を有する灯具２と、太陽電池パネル１によって発電された電気を蓄えるためのバッテリーと、前記バッテリーを収容する電源ボックス３と、太陽電池パネル１、灯具２および電源ボックス３を支持する支柱４とを備える。電源ボックス３の近傍を拡大したところを図３に示す。さらにこの電源ボックス３を分解したところを図４に示す。電源ボックス３は、内部に水平方向に延在するように配置される１以上の棚板１０と、支柱４に近い側の側面１１ａおよび側面１１ａに隣接する左右両側面１１ｂ，１１ｃを覆い、支柱４から遠い側の側面を開口させるボックス本体１１と、ボックス本体１１の支柱４から遠い側の側面を塞ぐように配置される蓋板１２とを含む。
【００１４】
側面１１ａの外側には支柱４と接するための支柱受け部１１ｒが設けられている。電源ボックス３内の空間は棚板１０によって複数の収納室に区分されている。図４では、説明の便宜のため、バッテリー５は下から３段目の収納室にあるもののみを表示している。本来は、下から１段目、２段目の収納室にもそれぞれバッテリー５が収納されている。この電源ボックス３は、３枚の棚板１０を備えている。最も上に位置する棚板１０の上すなわち下から４段目の収納室にはコントローラ７が設置されている。
【００１５】
蓋板１２を単独で取り出したところを図５に示す。蓋板１２を反対側から見たところを図６に示す。蓋板１２は、平板部１３と、平板部１３のうち電源ボックス３の内側を向く面において、上下方向に延在するようにして電源ボックス３の内側に向かって突出する１本以上のリブ１４と、平板部１３の左右両側においてそれぞれボックス本体１１と接合する接合部１５とを備える。図７に示すように、蓋板１２が設置された状態では、バッテリー５はリブ１４の先端に当接している。図７は、電源ボックス３の内部を上から見た様子を示す。ボックス本体１１を単独で取り出したところを図８に示す。
【００１６】
（作用・効果）
本実施の形態では、電源ボックス３内に配置されたバッテリー５に対して、蓋板１２に設けられたリブ１４が当接しているので、バッテリー５が蓋板１２の側に向かって移動する余地がない。したがって、たとえ電源ボックス３に強い衝撃が加わったとしてもバッテリー５が蓋板１２に対して衝突することは避けられる。よって、衝突による蓋板の変形を防止することができる。
【００１７】
なお、図７に示すように、棚板１０は、支柱４に近い側の端に上に向かって折り曲げられたストッパ部１６を有し、バッテリー５は支柱４に近い側の端をストッパ部１６に当接していることが好ましい。このような構成であれば、バッテリー５はリブ１４とストッパ部１６とによって挟み込まれるようにして固定されることとなる。この場合、電源ボックス３に加わった衝撃によりバッテリー５が支柱４に向かって移動しようとしたときにもストッパ部１６によって移動が阻止される。したがって、何らかの衝撃によりバッテリー５が一旦支柱に向かって移動することによってリブ１４の先端から離れた後に支柱から遠ざかるように移動して蓋板１２に衝突するような事態を防止することができる。よって、衝突による蓋板の変形をより確実に防止することができる。
【００１８】
ストッパ部１６を設けることによって、バッテリー５が支柱４に向かって一定以上接近しないように構成されている場合、電源ボックス３内の側面１１ａに近い部分の空間２０は空いた状態で確保することができる。この空間２０を通じて電源ボックス３内の空気は対流することができるので、電源ボックス３内で生じる熱の排出を促進することができる。空間２０を利用して配線ケーブル類を配置してもよい。
【００１９】
なお、蓋板１２は、押出加工によって一体成形されたものであることが好ましい。図５、図６に示したように、蓋板１２は上下方向のどこで切っても同じ断面形状を有する部材であってよいので、押出加工によって成形することができる。押出加工であれば容易に効率良く生産することができるので好ましい。
【００２０】
なお、ボックス本体１１は、押出加工によって一体成形されたものであることが好ましい。図８に示したように、ボックス本体１１は上下方向のどこで切っても同じ断面形状を有する部材であってよいので、押出加工によって成形することができる。押出加工であれば容易に効率良く生産することができるので好ましい。図４に示したように、電源ボックス３は、ボックス本体１１の上面を覆う上蓋８と下面を覆う底板１７とを含むことが好ましい。ボックス本体１１が押出加工で成形されたものである場合は、蓋板１２の他に上蓋８と底板１７とを補うことによって内部空間を６つの面によってほぼ完全に囲い込む構造を実現することができる。電源ボックス３は、ボックス本体１１、蓋板１２、上蓋８および底板１７を適宜組み合わせることによって防水構造としておくことが好ましい。ただし、結露または不測の浸水によって内部に水が入り込んだ際の排水のために、たとえば底板１７に水抜き穴を設けておくことが好ましい。
【００２１】
なお、ボックス本体１１、上蓋８、底板１７はたとえばアルミニウム製であってよい。棚板１０はたとえば鉄製であってよい。
【００２２】
（実施の形態２）
（構成）
図９を参照して、本発明に基づく実施の形態２における太陽電池式照明灯について説明する。本実施の形態における太陽電池式照明灯の構成は、基本的には実施の形態１で説明したとおりである。ただし、本実施の形態では、図９に示すように、棚板１０の支柱４から遠い側の端は、蓋板１２の平板部１３に当接している。棚板１０の支柱４から遠い側の端のうちの中央部が突出部１８としてバッテリー５の端よりも先まで突出している。この突出部１８が蓋板１２の平板部１３に当接している。棚板１０の突出部１８は、２つあるリブ１４の間において突出しているので、蓋板１２のリブ１４と棚板１０の突出部１８とは互いに干渉しない。
【００２３】
（作用・効果）
本実施の形態では、突出部１８が蓋板１２の平板部１３に当接していることによって、蓋板１２が電源ボックス３の内側に向かって変形することが防止されるので、衝突による蓋板の変形をより確実に防止することができる。
【００２４】
（実施の形態３）
（構成）
図１０を参照して、本発明に基づく実施の形態３における太陽電池式照明灯について説明する。この太陽電池式照明灯の構成は、基本的には実施の形態１で説明したとおりである。ただし、本実施の形態では、図１０に示すように、棚板１０の支柱４から遠い側の端は、蓋板１２のリブ１４を受け入れる切欠き１９を有している。
【００２５】
（作用・効果）
本実施の形態では、切欠き１９にリブ１４を受け入れることによって棚板１０とリブ１４との干渉を避けつつ、切欠き１９以外の多くの部分で棚板１０を蓋板１２に当接させることが可能となるので、蓋板１２が電源ボックス３の内側に向かって変形することが防止される。よって、衝突による蓋板の変形をより確実に防止することができる。
【００２６】
なお、上記各実施の形態では、電源ボックス内の空間が４つの収納室に区分されている例を前提に説明したが、区分される数は４以外であってもよい。
【００２７】
上記各実施の形態では、１枚の棚板の上には１つのバッテリーのみが配置されている例を前提に説明したが、１枚の棚板の上に２以上のバッテリーが配置されていてもよい。
【００２８】
棚板の蓋板に近い側の端に、バッテリーの移動を防ぐための他の補強部材を取り付けることとしてもよい。
【００２９】
上記各実施の形態では、最も上に位置する収納室にコントローラが配置され、他の収納室にバッテリーが配置されている例を前提に説明したが、コントローラが配置される位置は最も上の収納室とは限らない。コントローラは他の収納室に配置されていてもよい。
【００３０】
上記各実施の形態では、蓋板のリブは上端から下端まで連続して設けられている例を前提に説明したが、リブは必ずしも上端から下端まで完全に連続したものでなくてもよい。
【００３１】
上記各実施の形態では、蓋板の裏面にリブが２本設けられた例を示したが、リブの数は２本に限らない。リブは１本であってもよく、３本以上であってもよい。リブの本数を多くすればするほど蓋板の強度が増して蓋板は変形しにくくなる。ただし、リブの本数が増えれば、蓋板を作製するために必要な材料の量が増し、蓋板の重量も増す。
【００３２】
図１、図２に示した例では、太陽電池パネル１と灯具２とは支柱４に対して同じ側を向くように取り付けられているが、必ずしも同じ側とは限らない。太陽電池パネル１の向きは設置場所における方角、緯度に応じて適宜設定される。図１、図２に示した例では、電源ボックス３と灯具２は支柱４を挟んで反対側に向くように取り付けられているが、必ずしも反対側とは限らない。図１、図２に示した例では、電源ボックス３は支柱４の下部に支持されているが、他の高さにおいて支持されていてもよい。図１、図２に示した例では、支柱４は円柱形状であるが、支柱４は円柱以外の柱の形状であってもよい。
【００３３】
上記各実施の形態では、発電装置として太陽電池パネルを備える太陽電池式照明灯を前提に説明してきたが、太陽電池パネルに代えて他の発電装置を備える照明灯においても、本発明の考え方は適用可能である。他の発電装置としては、たとえば風力発電用風車などが考えられる。
【００３４】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【符号の説明】
【００３５】
１  太陽電池パネル、２  灯具、３  電源ボックス、４  支柱、５  バッテリー、６  感震センサ、７  コントローラ、８  上蓋、９，１２  蓋板、１０  棚板、１１  ボックス本体、１１ａ  （支柱に近い側の）側面、１１ｂ，１１ｃ  （左右の）側面、１１ｒ  支柱受け部、１３  平板部、１４  リブ、１５  接合部、１７  底板、１８  突出部、１９  切欠き、２０  空間、１００，１０１  太陽電池式照明灯。
【図１】
2011134476.tif 000003
【図２】
2011134476.tif 000004
【図３】
2011134476.tif 000005
【図４】
2011134476.tif 000006
【図５】
2011134476.tif 000007
【図６】
2011134476.tif 000008
【図７】
2011134476.tif 000009
【図８】
2011134476.tif 000010
【図９】
2011134476.tif 000011
【図１０】
2011134476.tif 000012
【図１１】
2011134476.tif 000013
【図１２】
2011134476.tif 000014
【図１３】
2011134476.tif 000015